(57)【要約】      （修正有）【課題】トラクタ、耕運機等による耕転作業において、ロータリーの弓形耕転爪への藁草屑等の巻き付き防止を図るとともに藁草屑等の除去作業等の軽減を図る。【解決手段】トラクタ等耕運機の弓形耕転爪ホルダー６の耕転爪固定用ボルト１２を利用し、弾性機能を持つ藁草屑等巻き付き防止ピン１４を取り付ける。【選択図】図３
2005261247.tif 000002
【特許請求の範囲】
【請求項１】
トラクタ等耕運機のロータリー等の弓形耕転爪ホルダーの耕転爪固定用ボルトを利用して取り付ける、弾性機能を持つ着脱用藁草屑等巻き付き防止ピンである。そしてこのピンの口径は三角形、四角形、円形、楕円形のいずれかの形状にすることを特徴とする。（図３〜図８）
【請求項２】
トラクタ等耕運機のロータリー等の弓形耕転爪ホルダーの上の部分に直接設置する、弾性機能を持つ弓形耕転爪ホルダー固定用藁草屑等巻き付き防止ピンである。そしてこのピンの口径は三角形、四角形、円形、楕円形のいずれかの形状にすることを特徴とする。（図９〜図１４）
【請求項３】
トラクタ等耕運機のロータリー等の耕転爪の回転軸の軸受け部の土はね防止カバーを利用して設置する、弾性機能を持つ着脱用藁草屑等巻き付き防止ガイドである。そしてこのガイドの口径は三角形、四角形、円形、楕円形のいずれかの形状にすることを特徴とする。（図３〜図１４）
【発明の詳細な説明】
【技術分野】
【０００１】
本発明は、トラクタ等耕運機のロータリーの弓形耕運爪の藁草屑等巻き付き防止に関するものである。
【背景技術】
【０００２】
トラクタ等耕運機のロータリーの弓形耕運爪に藁草屑等が巻き付くとロータリー装置が不安定になり耕運作業を一時中断し藁草屑等を取り除く必要がある。この藁草屑等は、耕転爪、軸等に固着し取り除くのに相当の力と時間を要し作業に支障をきたしている。
【０００３】
この改善策として従来巻き付き防止杆（特許文献１）、ワイヤー部材（特許文献２）等の開発がなされているが、実用上はこの巻き付き防止杆、ワイヤー部材等の着脱作業に相当の時間を要すること、巻き付き防止杆、ワイヤー部材等を取り付けて作業していると深耕不足、馬力不足等が生じていること。
【特許文献１】特開２００２−３４５３０７（Ｐ２００２−３４５３０７Ａ）←巻き付き防止杆方式
【特許文献２】特開２０００−２９５９０１（Ｐ２０００−２９５９０１Ａ）←ワイヤー部材方式
【発明の開示】
【発明が解決しようとする課題】
【０００４】
ロータリー耕転作業中、弓形耕転爪部分に特に図２の符号３及び４の部分に藁草屑等が巻き付き固着すると耕転の深さが浅くなること、藁草屑等の巻き付きが大きくなると耕運機の回転に負担がかかりエンジンが停止してしまうこと、耕転爪回転軸の支え部分が過熱して破損に至る原因になること等がある。したがって、この藁草屑等の巻き付き防止を図るとともに藁草屑等の除去作業等の軽減を図る必要がある。
【課題を解決するための手段】
【０００５】
トラクタ等耕運機の耕転爪回転軸及び耕転爪は振動しないよう固定されている。特に弓形耕転爪の部分には藁草屑等が巻き付き固着蓄積しやすく耕転機能に支障をきたしている。したがって、この弓形耕転爪の上の部分に本発明の弾性機能を持つ藁草屑等巻き付き防止（ピン）装置を図３〜図８のように着脱式又は図９〜図１４のように固定式の方法により取り付けて藁草屑等の巻き付き固着蓄積を防止する発明である。
【０００６】
また、トラクタ等耕運機の耕転爪回転軸の軸受け部には、土はね防止カバーが取り付けられているため凹凸があり藁草屑等が引っ掛かりやすく固着蓄積しやすくなっている。この藁草屑等の流れをよくするために弾性機能を持つ藁草屑等固着蓄積防止（ガイド）装置を図３〜図１４のように土はね防止カバーを利用して取り付けて藁草屑等の巻き付き固着蓄積を防止する発明である。
【発明の効果】
【０００７】
弓形耕転爪の上の部分に本発明の弾性機能を持つ藁草屑等巻き付き防止（ピン）装置を取り付けることにより巻き付き固着蓄積する藁草屑等がスムーズに後方へ流動し藁草屑等の固着蓄積を防止することができる。また、耕転爪回転軸の軸受け部の土はね防止カバーに藁草屑等固着蓄積防止（ガイド）装置を取り付けることにより藁草屑等の固着蓄積が防止され耕転中における作業を中断してロータリの耕転爪に巻き付いた藁草屑等を除去する作業がなくなり耕転作業が円滑にできる。なお、従来の技術に比べ本発明の装置は、部材の形状が小さく単純で軽量で抵抗が無く、少ない部品数で着脱が簡単で常時取り付けておいても耕転作業等には影響しない。
【発明を実施するための最良の形態】
【０００８】
本発明は、トラクタのロータリー機構、馬力アップ等変更はしないで少ない部品数で単純な構造と抵抗の少ない部材を取り付けることにより実現した。なお、本発明の部品は、常時取り付けておいても耕転作業等には支障はない。
【実施例１】
【０００９】
図３〜図８は、ロータリー機構の左右の弓形耕転爪固定用ボルトを使用して本発明装置の弾性機能を持つ着脱用藁草屑等巻き付き防止ピンを取り付けた背面斜視図、側面図等である。
【実施例２】
【００１０】
図９〜図１４は、ロータリー機構の左右の弓形耕転爪ホルダーに直接固定して本発明装置の弾性機能を持つ固定用藁草屑等巻き付き防止ピンを取り付けた背面斜視図、側面図等である。
【実施例３】
【００１１】
図３〜図１４は、ロータリー機構の左右の土はね防止カバーを使用して本発明装置の弾性機能を持つ土はね防止カバー用着脱用藁草屑等巻き付き防止ガイドを取り付けた背面斜視図、側面図等である。
【産業上の利用可能性】
【００１２】
トラクタ（ロータリー機構）、耕運機、作業機等、特に構造上等の変更はしないで弓形耕転爪に利用できる。
【図面の簡単な説明】
【００１３】
【図１】トラクタ全体側面図
【図２】ロータリ耕転装置後方断面図
【図３】右側の弓形耕転爪ホルダーの爪固定用ボルトを使用して取り付ける弾性機能を持つ着脱用藁草屑等巻き付き防止ピン（実施例１）及び右側の土はね防止カバーを使用して取り付ける弾性機能を持つ着脱用藁草屑等巻き付き防止ガイド（実施例３）の取り付け位置を示した見取図
【図４】右側の弓形耕転爪ホルダーの爪固定用ボルトを使用して取り付ける弾性機能を持つ着脱用藁草屑等巻き付き防止ピン（実施例１）及び右側の土はね防止カバーを使用して取り付ける弾性機能を持つ着脱用藁草屑等巻き付き防止ガイド（実施例３）の取り付け位置を示した立面図
【図５】右側の弓形耕転爪ホルダーの爪固定用ボルトを使用して取り付ける弾性機能を持つ着脱用藁草屑等巻き付き防止ピン（実施例１）及び右側の土はね防止カバーを使用して取り付ける弾性機能を持つ着脱用藁草屑等巻き付き防止ガイド（実施例３）の取り付け位置を示した側面図
【図６】左側の弓形耕転爪ホルダーの爪固定用ボルトを使用して取り付ける弾性機能を持つ着脱用藁草屑等巻き付き防止ピン（実施例１）及び左側の土はね防止カバーを使用して取り付ける弾性機能を持つ着脱用藁草屑等巻き付き防止ガイド（実施例３）の取り付け位置を示した見取図
【図７】左側の弓形耕転爪ホルダーの爪固定用ボルトを使用して取り付ける弾性機能を持つ着脱用藁草屑等巻き付き防止ピン（実施例１）及び左側の土はね防止カバーを使用して取り付ける弾性機能を持つ着脱用藁草屑等巻き付き防止ガイド（実施例３）の取り付け位置を示した立面図
【図８】左側の弓形耕転爪ホルダーの爪固定用ボルトを使用して取り付ける弾性機能を持つ着脱用藁草屑等巻き付き防止ピン（実施例１）及び左側の土はね防止カバーを使用して取り付ける弾性機能を持つ着脱用藁草屑等巻き付き防止ガイド（実施例３）の取り付け位置を示した側面図
【図９】右側の弓形耕転爪ホルダーに固定する弾性機能を持つ耕転爪ホルダー固定用藁草屑等巻き付き防止ピン（実施例２）の取り付け位置を示した見取図
【図１０】右側の弓形耕転爪ホルダーに固定する弾性機能を持つ耕転爪ホルダー固定用藁草屑等巻き付き防止ピン（実施例２）及び右側の土はね防止カバーを使用して取り付ける着脱用藁草屑等巻き付き防止ガイド（実施例３）の取り付け位置を示した立面図
【図１１】右側の弓形耕転爪ホルダーに固定する弾性機能を持つ耕転爪ホルダー固定用藁草屑等巻き付き防止ピン（実施例２）及び右側の土はね防止カバーを使用して取り付ける弾性機能を持つ着脱用藁草屑等巻き付き防止ガイド（実施例３）の取り付け位置を示した側面図
【図１２】左側の弓形耕転爪ホルダーに固定する弾性機能を持つ耕転爪ホルダー固定用藁草屑等巻き付き防止ピン（実施例２）の取り付け位置を示した見取図
【図１３】左側の弓形耕転爪ホルダーに固定する弾性機能を持つ耕転爪ホルダー固定用藁草屑等巻き付き防止ピン（実施例２）及び左側の土はね防止カバーを使用して取り付ける弾性機能を持つ着脱用藁草屑等巻き付き防止ガイド（実施例３）の取り付け位置を示した立面図
【図１４】左側の弓形耕転爪ホルダーに固定する弾性機能を持つ耕転爪ホルダー固定用藁草屑等巻き付き防止ピン（実施例２）及び左側の土はね防止カバーを使用して取り付ける弾性機能を持つ着脱用藁草屑等巻き付き防止ガイド（実施例３）の取り付け位置を示した側面図
【符号の説明】
【００１４】
１  トラクタ動力部分
２  ロータリー耕転装置（作業機部分）
３  右側の弓形耕転爪ホルダーの爪固定用ボルトを使用して取り付ける弾性機能を持つ着脱用藁草屑等巻き付き防止ピン（請求項１）及び右側耕転爪ホルダー固定用藁草屑等巻き付き防止ピン（請求項２）並びに右側の土はね防止カバーを使用して取り付ける弾性機能を持つ着脱用藁草屑等巻き付き防止ガイド（請求項３）の取り付け位置
４  左側の弓形耕転爪ホルダーの爪固定用ボルトを使用して取り付ける弾性機能を持つ着脱用藁草屑等巻き付き防止ピン（請求項１）及び左側耕転爪ホルダー固定用藁草屑等巻き付き防止ピン（請求項２）並びに左側の土はね防止カバーを使用して取り付ける弾性機能を持つ着脱用藁草屑等巻き付き防止ガイド（請求項３）の取り付け位置
５  耕転爪回転軸
６  耕転爪ホルダー
７  耕転爪
８  弓形耕転爪
９  ロータリーギヤーケース
１０  ロータリー右側土はね防止カバー
１１  ロータリー左側土はね防止カバー
１２  耕転爪ボルト
１３  耕転爪ナット
１４  右側の弓形耕転爪ホルダーの爪固定用ボルトを使用して取り付けた弾性機能を持つ耕転爪ホルダー着脱用藁草屑等巻き付き防止ピン（請求項１）
１５  左側の弓形耕転爪ホルダーの爪固定用ボルトを使用して取り付けた弾性機能を持つ耕転爪ホルダー着脱用藁草屑等巻き付き防止ピン（請求項１）
１６  右側の弓形耕転爪ホルダーを使用して取り付けた弾性機能を持つ耕転爪ホルダー固定用藁草屑等巻き付き防止ピン（請求項２）
１７  左側の弓形耕転爪ホルダーを使用して取り付けた弾性機能を持つ耕転爪ホルダー固定用藁草屑等巻き付き防止ピン（請求項２）
１８  右側の土はね防止カバーを使用して取り付けた弾性機能を持つ着脱用藁草屑等巻き付き防止ガイド（請求項３）
１９  左側の土はね防止カバーを使用して取り付けた弾性機能を持つ着脱用藁草屑等巻き付き防止ガイド（請求項３）
【図１】
2005261247.tif 000003
【図２】
2005261247.tif 000004
【図３】
2005261247.tif 000005
【図４】
2005261247.tif 000006
【図５】
2005261247.tif 000007
【図６】
2005261247.tif 000008
【図７】
2005261247.tif 000009
【図８】
2005261247.tif 000010
【図９】
2005261247.tif 000011
【図１０】
2005261247.tif 000012
【図１１】
2005261247.tif 000013
【図１２】
2005261247.tif 000014
【図１３】
2005261247.tif 000015
【図１４】
2005261247.tif 000016